(57)【要約】  本発明は、衝撃吸収可能なダンベル及びバーベル円板に関し、より詳しくは、合成繊維、天然繊維、または合成ゴムなどを裁断、裁縫して、ダンベルまたはバーベル円板形状を有するように柔軟性カバーを裁縫し、かつ、上記柔軟性カバーの内部に鉄粉や砂などの重量体を充填し、ダンベルまたはバーベル円板の形状を維持させるために、ダンベルの内部または外部に軟質合成樹脂、発泡樹脂、スポンジ、ＥＶＡなどで製造された円筒管体を内蔵または外蔵させて握りを形成する一方、ドーナッツ形態で形成されたバーベル円板の中心に金属材または合成樹脂材のブッシングを挿着させて、衝撃が吸収できるようにしたダンベルまたはバーベル円板に関する。
2008526349.tif 000002
【特許請求の範囲】
【請求項１】
運動器具用ダンベルであって、
柔軟性素材をダンベル形態になるように裁断及び裁縫してダンベル形状の柔軟性カバーを形成し、前記柔軟性カバーの中央の内部に握り及びダンベル形態維持用の円筒管体が挿着、構成され、かつ、前記柔軟性カバーの内部に重量体粉末を充填してなることを特徴とする衝撃吸収可能なダンベル。
【請求項２】
前記円筒管体は、前記柔軟性カバーの外部に嵌着構成されたことを特徴とする請求項１記載の衝撃吸収可能なダンベル。
【請求項３】
前記柔軟性カバーは、合成繊維、天然繊維、合成ゴムから選択されたことを特徴とする請求項１又は２記載の衝撃吸収可能なダンベル。
【請求項４】
前記円筒管体は、ＥＶＡ、ＰＶＣなどの合成樹脂、高硬度発泡樹脂、合成ゴムから選択されたことを特徴とする請求項１又は２記載の衝撃吸収可能なダンベル。
【請求項５】
中心に軸孔が形成された運動器具重量体である円板であって、
柔軟性素材をバーベル円板形態になるように裁断及び裁縫して、バーベル円板形状の柔軟性カバーを形成し、かつその内部に重量体粉末を充填し、前記軸孔に金属材または合成樹脂材から選択された円筒管形態のブッシュが内挿、固定されたことを特徴とする衝撃吸収可能なバーベル円板。
【請求項６】
前記柔軟性カバーは、互いに同一な形態の柔軟性カバーが少なくても一つ以上重畳されるように裁縫して、各柔軟性カバー内に重量体粉末が分散、充填されたことを特徴とする請求項５記載の衝撃吸収可能なバーベル円板。
【請求項７】
前記柔軟性カバーは、合成繊維、天然繊維、合成ゴムから選択されたことを特徴とする請求項５又は６記載の衝撃吸収可能なバーベル円板。
【発明の詳細な説明】
【技術分野】
【０００１】
本発明は、合成繊維、天然繊維、または合成ゴムなどを裁断、裁縫して、ダンベルまたはバーベル円板形状を有するように柔軟性カバーを裁縫し、かつ上記柔軟性カバーの内部に鉄粉や砂のような重量体粉末を充填し、ダンベルの内部または外部に軟質合成樹脂、発泡樹脂、スポンジ、ＥＶＡなどで製造された円筒管体を内蔵または外蔵させて握りを形成する一方、ドーナッツ形態で形成されたバーベル円板の中心に金属材または合成樹脂材のブッシングを挿着させることにより、衝撃を吸収できるようにしたダンベルまたはバーベル円板に関するものである。
【背景技術】
【０００２】
従来、私達がよく接することができるダンベルは鉄を加工して製造し、その形状は手で容易に握れる円筒形棒の両端に重量体が一切形成されたものであって、これは腐食が発生する問題点があって、長く使われなかった。
【０００３】
これを改善したものに、所定形状のダンベルを鋳物で鋳造成型し、その表面に多様なカラーを表現することができる合成樹脂を被覆して製造したことが一般的に使われている。
【０００４】
鋳造に使われるアルミニウムは、他金属に比べて比較的価格が安いという利点があるが、一方、鋳造物の特性は脆性が非常に弱くて、鋳造成型されたダンベルを使用してから不注意で落とせば、衝撃により砕ける現象が発生し、その結果、砕けた部位が人体に被害を与える場合、製造物責任法（ＰＬ）の上、ダンベル製造者は被害補償をしなければならない等、その副作用が大きいのみならず、ダンベルが落ちて身体の特定部位、例えば足の甲に衝撃を加えることになれば、加撃された部位に傷または骨折などの被害を負う問題点があった。
【０００５】
このような問題点を解決するための従来技術として、合成樹脂で製造されたダンベル外皮の内部に水や砂または鉄粉を充填させて製造されたダンベルが大韓民国実用新案公開第１９９９−０００５１８９号、大韓民国実用新案公開第１９９９−００３９１７２号に紹介されたことがあるが、上記改善された考案は、脆性の脆弱の問題点は解決している一方、ダンベルを落とす場合、衝撃を吸収できない問題点は相変わらず解決されていない。
【０００６】
勿論、上記従来考案はその明細書において、身体との衝撃による安全事故を防止できると記載しており、また大韓民国実用新案登録第０２９１０２８号で紹介された亜鈴やはり軟質の樹脂の内部に水と鉄粉を混合して充填させることによって、身体に加えられる衝撃が最小化できると記載している。
【０００７】
しかしながら、上記の従来考案は、いずれも外皮が射出成型による合成樹脂からなっているので、たとえ射出物が軟質であるとしても柔軟性がないため、身体に衝撃を加える場合には、衝撃の減少により被害程度を縮めるだけであり、被害をすっかり防止することができない。
【０００８】
即ち、合成樹脂の特性上、柔軟性を持たないで、射出成型された形状をそのまま維持しているため、仮に内部に水、砂、または鉄粉が充填されているとしても、合成樹脂外皮が外部の圧力により形状が変形されるのではないので、衝撃を吸収することが微々たるものであった。
【０００９】
また、合成樹脂被覆によるダンベルは、合成樹脂を射出成型するための金型を必要とするので、高価の金型製作費がかかっており、生産コストが高くなる問題点があった。
【発明の開示】
【発明が解決しようとする課題】
【００１０】
これによって、本発明は、上記のような問題点を解決するために案出したものであって、本発明は外部の衝撃に対して砕けたり亡失できない、かつ、身体との衝撃時、衝撃を吸収して傷害を防止する衝撃吸収可能なダンベルまたはバーベル円板を提供することをその目的とする。
【００１１】
また、本発明の他の目的は、ダンベルやバーベル円板製造時に要求される合成樹脂射出金型を必要としないようにすることで、生産コストを低減できるようにしたダンベル及びバーベル円板を提供することにある。
【課題を解決するための手段】
【００１２】
本発明は、バーベルまたはバーベル円板の外皮であるカバーを柔軟性部材で選択して裁断、製造し、そのような柔軟性カバーの内部で移動及び形状変形できるようにする重量体粉末、例えば、鉄粉、砂、その他の所定の重量を備えた物質の粉末を充填させて達成される。
【００１３】
上記の柔軟性部材とは、柔軟性がある合成繊維、天然繊維、または合成ゴムなどを素材にして所定形状で裁断した後、ダンベルやバーベル円板形状を有するように裁縫したものである。
【００１４】
一方、ダンベルやバーベル円板の形状を維持できるようにするためのダンベルは、内部または外部に円筒管体を内蔵または外蔵させ、かつ、上記円筒管体は、合成樹脂、発泡樹脂、スポンジ、ＥＶＡなどから選択することで、衝撃吸収が可能で、かつ、円筒形状をそのまま維持できるようにし、ドーナッツ形態のバーベル円板は、その中心になる軸孔に円筒管体形態のブッシュを挿着させることによって、バーベルの軸棒に容易に嵌められるようにし、上記ブッシュは、合成樹脂または金属材で製造したものである。
【発明の効果】
【００１５】
以上の説明から分かるように、ダンベルまたはバーベルの従来技術が衝撃緩和作用があるだけであり、衝撃を完全に吸収できなかった問題点を克服した本発明は、衝撃吸収能力が優れて、使用者が身体（足の甲）に落とした時に発生されていた傷害を防止できることは勿論、物体との接触時にも物体の破損を防止できることになり、生産者は高価の金型製作費用がかからないようになるので、比較的安い製造費用でダンベルまたはバーベル円板製作を実現することで、生産コストを低めることができ、延いては、高品質のダンベルまたはバーベル円板製造が可能であるので、競争力あるダンベルまたはバーベル円板を普及できるようになる。
【発明を実施するための最良の形態】
【００１６】
以下、本発明の望ましい実施形態を添付図面を参照しつつ詳細に説明する。
【００１７】
図１は本発明の一実施形態に係るダンベルの一部切欠斜視図であり、図２は図１の横断面図であって、ダンベル１０の形状維持のための円筒管体１２が柔軟性カバー１１の内部に装着されたダンベルが開示される。
【００１８】
図１及び図２を参照した本発明のダンベル（DUMBBELL）１０は、ダンベルの形状で裁断及び裁縫された柔軟性カバー１１と、柔軟性カバー１１の中部は手で容易に握れるように円筒形でなされて、その内部にダンベルの形状を維持させるための円筒管体１２を内蔵させ、柔軟性カバー１１の内部の全体に鉄粉１３または砂を充填させてなるものである。
【００１９】
柔軟性カバー１１は、柔軟性を有する繊維布でありさえすれば、特に制限はないし、その例として、合成樹脂を細線で製造して製織した合成繊維、綿布のように天産物質から抽出した素材で糸を引き抜いて製織した天然繊維、またはネオプレン（NEOPRENE）のような合成ゴムが挙げられ、上記条件を充足するものであれば、上記に列挙された素材と均等な、多様な素材範囲で選ぶことができる。
【００２０】
円筒管体１２の材料は、ダンベル１０の形状、即ち円筒管体１２の両端部が拡張されて重量体粉末、例えば、鉄粉、砂、または所定の重量を有する物質の粉末を充填してなる形状を維持させながらも、衝撃吸収が可能にする条件を満足しなければならないし、その例として、ＥＶＡまたはＰＶＣのような合成樹脂、比較的硬度の高いスポンジ（SPONGY）のような発泡樹脂などが挙げられ、円筒管体１２が柔軟性カバー１１の握り部分の内部枠を維持させて、結局、ダンベル１０形状が維持される。
【００２１】
図３は本発明の他の実施形態に係るダンベルの一部切欠斜視図であり、図４は図３の横断面図であって、ダンベル１０の形状の維持のための円筒管体１２が柔軟性カバー１１の外部に装着されたダンベルが開示され、図１及び図２の構成で柔軟性カバー１１に対する円筒管体１２の構成位置を異にしたものである。
【００２２】
図３及び図４を参照した本発明のダンベル（DUMBBELL）１０は、ダンベルの形状で裁断及び裁縫された柔軟性カバー１１と、柔軟性カバー１１の中部は手で容易に握れるように円筒形でなされて、その外部にダンベルの形状を維持させるための円筒管体１２を装着させ、柔軟性カバー１１の内部に重量体粉末１３を充填させてなるものである。
【００２３】
柔軟性カバー１１は、柔軟性を有する繊維布でありさえすれば、特に制限はないし、前述したように、合成繊維、天然繊維、合成ゴム、またはそれらと均等な素材から選択されることができ、また円筒管体１２やはりＥＶＡまたはＰＶＣのような合成樹脂、比較的硬度の高いスポンジ（SPONGY）のような発泡樹脂等から選択されることができる。
【００２４】
図５は本発明の更に他の実施形態に係るバーベル円板の一部切欠斜視図であり、図６は図５の縦断面図であって、バーベルの軸棒（図示せず）に挟まれるバーベル円板２０が開示される。
【００２５】
図５及び図６を参照した本発明のバーベル円板２０は、略ドーナッツ形態のように、中心に孔が形成された形態で裁断及び裁縫された柔軟性カバー２１の内部に重量体粉末２２が充填され、上記中心の孔にブッシュ２３が挟まれて固定されたものである。
【００２６】
柔軟性カバー２１は、軟質を有する繊維布でありさえすれば、特に制限はないし、上記図１乃至図４の実施形態で説明したように、合成繊維、天然繊維、合成ゴム、またはそれらと均等な素材から、ブッシュ２３は合成樹脂材または金属材から各々選択されることができる。
【００２７】
柔軟性カバー２１とブッシュ２３との結合は、ブッシュの外周面に接着剤を塗布して柔軟性カバー２１の孔の内面と接着させることができ、または、図示してはいないが、柔軟性カバー２１の内部の軸孔にブッシュ２３を安着させ、リベッティング手段により相互固定させることができる。
【００２８】
図７及び図８は、本発明の更に他の実施形態に係るバーベル円板の縦断面図であって、バーベル円板２０を構成する柔軟性カバー２１とブッシュ２３の多様な固定状態を示している。
【００２９】
図７を参照すれば、ブッシュ２３の長さを柔軟性カバー２１の幅より延びるようにして、ブッシュ２３の周辺両先端を突出させた段部を形成させ、柔軟性カバー２１の内側の左／右端部がブッシュ２３の段部の間に安着するようにして、柔軟性カバー２１がブッシュ２３の外周面に安定するように固定させた構造であり、このように構成すれば、柔軟性カバー２１とブッシュ２３の相互離脱分離を防止できることになり、延いては、柔軟性カバー２１が前述した材料の中で、合成ゴムに選択されて製造されれば、柔軟性カバー２１の伸縮性により柔軟性カバー２１をブッシュ２３から容易に脱去させることになる。
【００３０】
図８に示すように、柔軟性カバー２１を裁縫する時、刺し縫いにより柔軟性カバーの内部に重量体粉末２２を分散充填されるように隔壁を形成したものであって、このように構成すれば、柔軟性カバー２１の内部で刺し縫いによる隔壁で分離された各貯蔵室に充填された重量体粉末の流動幅が小さくなるので、相対的にバーベル円板の形状を維持させることが有利になる。
【００３１】
柔軟性カバー１１、２１は、前述したような柔軟性または軟質素材から選択して必要によって所定の形状で裁断して裁縫によりなされるものであるから、柔軟性カバー１１、２１を製造するための高価の射出金型を必要としない。
【００３２】
また、上記ダンベル及びバーベル円板は、外部の衝撃により砕けることが発生しないながらも、他物体または身体との衝撃時、その衝撃強度に関わらず、柔軟性カバー及び流動可能な重量体粉末により接触部位が陥没しながら衝撃を吸収することになり、これは、柔軟性素材からなる特徴的構成により、衝撃強度が大きければ柔軟性カバーとの接触部位が深く陥没し、強度が弱ければ低く陥没する形態で重量体粉末が柔軟性カバー内で流動可能に構成されたためである。
【００３３】
上記の説明は、たとえ限定された実施形態と図面により説明されたが、本発明はこれに限定されるものではなく、本発明が属する技術分野で通常の知識を有する者により、本発明の技術思想と特許請求範囲の均等範囲内で多様な修正及び変形が可能であることは勿論である。
【図面の簡単な説明】
【００３４】
【図１】本発明の一実施形態に係るダンベルの一部切欠斜視図である。
【図２】図１の横断面図である。
【図３】本発明の他の実施形態に係るダンベルの一部切欠斜視図である。
【図４】図３の横断面図である。
【図５】本発明の更に他の実施形態に係るバーベル円板の一部切欠斜視図である。
【図６】図５の縦断面図である。
【図７】本発明の更に他の実施形態に係るバーベル円板の縦断面図である。
【図８】本発明の更に他の実施形態に係るバーベル円板の縦断面図である。
【図１】
2008526349.tif 000003
【図２】
2008526349.tif 000004
【図３】
2008526349.tif 000005
【図４】
2008526349.tif 000006
【図５】
2008526349.tif 000007
【図６】
2008526349.tif 000008
【図７】
2008526349.tif 000009
【図８】
2008526349.tif 000010
【国際調査報告】
2008526349.tif 000011